(57)【要約】【課題】扁平顔料を含むトナーで形成された非転写画像が転写位置を通過する際に搬送体と転写部材とが接触する構成に比べ、扁平顔料を含むトナーによる転写部材の損傷を抑制する。【解決手段】扁平顔料を含むトナーで、記録媒体に転写されない非転写画像と、記録媒体に転写される転写画像と、を形成する形成部と、前記転写画像及び前記非転写画像を転写位置へ搬送する搬送体と、前記転写位置で前記転写画像を記録媒体に転写し、前記非転写画像が前記転写位置を通過する際に前記搬送体から離間する転写部材と、を備えている。【選択図】図１
2016038440.tif 000002
【特許請求の範囲】
【請求項１】
扁平顔料を含むトナーで、記録媒体に転写されない非転写画像と、記録媒体に転写される転写画像と、を形成する形成部と、
前記転写画像及び前記非転写画像を転写位置へ搬送する搬送体と、
前記転写位置で前記転写画像を記録媒体に転写し、前記非転写画像が前記転写位置を通過する際に前記搬送体から離間する転写部材と、
を備えた画像形成装置。
【請求項２】
扁平顔料を含むトナーで、前記非転写画像としての第１非転写画像と、前記転写画像としての第１転写画像と、を形成する前記形成部としての第１形成部と、
扁平顔料を含まないトナーで、記録媒体に転写されない第２非転写画像と、記録媒体に転写される第２転写画像と、を形成する第２形成部と、
回転する前記転写部材に接触して、該転写部材に付着した異物を除去する除去部材と、
を備え、
前記搬送体は、
前記第１非転写画像と前記第２非転写画像とが搬送方向にずれた状態で、前記第１非転写画像、前記第２非転写画像、前記第１転写画像及び前記第２転写画像を転写位置へ搬送し、
前記転写部材は、前記転写位置で前記第１転写画像及び前記第２転写画像を記録媒体に転写し、前記第１非転写画像が前記転写位置を通過する際に前記搬送体から離間し、前記第２非転写画像が前記転写位置を通過する際には前記搬送体に対して接触する
請求項１に記載の画像形成装置。
【請求項３】
前記転写部材は、
転写電圧が印加されることで、前記転写位置で前記第１転写画像及び前記第２転写画像を記録媒体に転写し、前記第２非転写画像が前記転写位置を通過する際に、前記転写電圧とは、逆極性の電圧が印加され、
前記搬送体は、
前記第１転写画像及び前記第２転写画像の少なくとも一方、前記第２非転写画像、前記第１非転写画像がこの順で搬送方向上流から配置された状態で、前記第１非転写画像、前記第２非転写画像、前記第１転写画像及び前記第２転写画像を前記転写位置へ搬送する
請求項２に記載の画像形成装置。
【請求項４】
第１モードにて、記録媒体に転写されない第１非転写画像と記録媒体に転写される第１転写画像とを、扁平顔料を含むトナーで形成し、第２モードでは、該第１非転写画像と該第１転写画像を形成しない第１形成部と、
前記第２モードにて、記録媒体に転写されない第２非転写画像と記録媒体に転写される第２転写画像とを、扁平顔料を含まないトナーで形成する第２形成部と、
前記第１非転写画像、前記第２非転写画像、前記第１転写画像及び前記第２転写画像を転写位置へ搬送し、前記第１非転写画像及び前記第２非転写画像が転写される転写領域を有する搬送体と、
前記第１非転写画像及び前記第２非転写画像が転写される転写領域を有し、該第１非転写画像、該第２非転写画像、前記第１転写画像及び前記第２転写画像を転写位置へ搬送する搬送体と、
前記第１モードにおいて、前記転写位置で前記第１転写画像を記録媒体に転写し、且つ、前記転写領域が前記転写位置を通過する際に前記搬送体から離間する転写部材と、
を備えた画像形成装置。
【請求項５】
回転する前記転写部材に接触して、該転写部材に付着した異物を除去する除去部材
を備え、
前記転写部材は、
前記第２モードにおいて、前記転写位置で前記第２転写画像を記録媒体に転写し、前記転写領域が前記転写位置を通過する際に前記搬送体に接触する
請求項４に記載の画像形成装置。
【発明の詳細な説明】
【技術分野】
【０００１】
本発明は、画像形成装置に関する。
【背景技術】
【０００２】
特許文献１には、非画像形成時において、中間転写ベルトに二次転写ローラを圧接しつつトナーが二次転写ローラから中間転写ベルトへ戻る方向の電界を形成し、かつ中間転写ベルトの継ぎ目が二次転写ローラに対向する位置にある時は二次転写ローラを離間させる構成が開示されている。
【先行技術文献】
【特許文献】
【０００３】
【特許文献１】特開平１０−２４００３８号公報
【発明の概要】
【発明が解決しようとする課題】
【０００４】
扁平形状の扁平顔料（例えば、アルミニウム）を含むことで扁平形状をなすトナーを用いて画像を形成する画像形成装置がある。この画像形成装置において、記録媒体に転写されない非転写画像（例えば、画質調整用のパッチ）が中間転写ベルト等の搬送体で搬送されて、当該非転写画像が当該搬送体と二次転写ロール等の転写部材との間の転写位置を通過する際に、搬送体と転写部材とが接触していると、扁平形状のトナーが、その姿勢によって、転写部材に突き刺さる場合がある。扁平顔料を含むトナーが転写部材に突き刺さると、転写部材が損傷する。
【０００５】
本発明は、扁平顔料を含むトナーで形成された非転写画像が転写位置を通過する際に搬送体と転写部材とが接触する構成に比べ、扁平顔料を含むトナーによる転写部材の損傷を抑制することを目的とする。
【課題を解決するための手段】
【０００６】
請求項１の発明は、扁平顔料を含むトナーで、記録媒体に転写されない非転写画像と、記録媒体に転写される転写画像と、を形成する形成部と、前記転写画像及び前記非転写画像を転写位置へ搬送する搬送体と、前記転写位置で前記転写画像を記録媒体に転写し、前記非転写画像が前記転写位置を通過する際に前記搬送体から離間する転写部材と、を備える。
【０００７】
請求項２の発明は、扁平顔料を含むトナーで、前記非転写画像としての第１非転写画像と、前記転写画像としての第１転写画像と、を形成する前記形成部としての第１形成部と、扁平顔料を含まないトナーで、記録媒体に転写されない第２非転写画像と、記録媒体に転写される第２転写画像と、を形成する第２形成部と、回転する前記転写部材に接触して、該転写部材に付着した異物を除去する除去部材と、を備え、前記搬送体は、前記第１非転写画像と前記第２非転写画像とが搬送方向にずれた状態で、前記第１非転写画像、前記第２非転写画像、前記第１転写画像及び前記第２転写画像を転写位置へ搬送し、前記転写部材は、前記転写位置で前記第１転写画像及び前記第２転写画像を記録媒体に転写し、前記第１非転写画像が前記転写位置を通過する際に前記搬送体から離間し、前記第２非転写画像が前記転写位置を通過する際には前記搬送体に対して接触する。
【０００８】
請求項３の発明は、前記転写部材は、転写電圧が印加されることで、前記転写位置で前記第１転写画像及び前記第２転写画像を記録媒体に転写し、前記第２非転写画像が前記転写位置を通過する際に、前記転写電圧とは、逆極性の電圧が印加され、前記搬送体は、前記第１転写画像及び前記第２転写画像の少なくとも一方、前記第２非転写画像、前記第１非転写画像がこの順で搬送方向上流から配置された状態で、前記第１非転写画像、前記第２非転写画像、前記第１転写画像及び前記第２転写画像を前記転写位置へ搬送する。
【０００９】
請求項４の発明は、第１モードにて、記録媒体に転写されない第１非転写画像と記録媒体に転写される第１転写画像とを、扁平顔料を含むトナーで形成し、第２モードでは、該第１非転写画像と該第１転写画像を形成しない第１形成部と、前記第２モードにて、記録媒体に転写されない第２非転写画像と記録媒体に転写される第２転写画像とを、扁平顔料を含まないトナーで形成する第２形成部と、前記第１非転写画像、前記第２非転写画像、前記第１転写画像及び前記第２転写画像を転写位置へ搬送し、前記第１非転写画像及び前記第２非転写画像が転写される転写領域を有する搬送体と、前記第１非転写画像及び前記第２非転写画像が転写される転写領域を有し、該第１非転写画像、該第２非転写画像、前記第１転写画像及び前記第２転写画像を転写位置へ搬送する搬送体と、前記第１モードにおいて、前記転写位置で前記第１転写画像を記録媒体に転写し、且つ、前記転写領域が前記転写位置を通過する際に前記搬送体から離間する転写部材と、を備える。
【００１０】
請求項５の発明は、回転する前記転写部材に接触して、該転写部材に付着した異物を除去する除去部材を備え、前記転写部材は、前記第２モードにおいて、前記転写位置で前記第２転写画像を記録媒体に転写し、前記転写領域が前記転写位置を通過する際に前記搬送体に接触する。
【発明の効果】
【００１１】
本発明の請求項１の構成によれば、扁平顔料を含むトナーで形成された非転写画像が転写位置を通過する際に搬送体と転写部材とが接触する構成に比べ、扁平顔料を含むトナーによる転写部材の損傷を抑制できる。
【００１２】
本発明の請求項２の構成によれば、扁平顔料を含まないトナーを除去部材と転写部材との間に潤滑剤として供給できる。
【００１３】
本発明の請求項３の構成によれば、第２非転写画像が転写位置を通過する際に、電圧の極性の切り替えと、転写部材の搬送体に対する接触・離間の切り替え動作と、を一緒に行う必要がない。
【００１４】
本発明の請求項４の構成によれば、第１モードにおいて転写領域が転写位置を通過する際に転写部材が搬送体に接触する場合に比べ、扁平顔料を含むトナーによる転写部材の損傷を抑制できる。
【００１５】
本発明の請求項５の構成によれば、扁平顔料を含まないトナーを除去部材と転写部材との間に潤滑剤として供給できる。
【図面の簡単な説明】
【００１６】
【図１】本実施形態に係る画像形成装置を正面側から見た構成を示す概略図である。
【図２】本実施形態に係るトナー画像形成部を示す概略図である。
【図３】本実施形態に係る転写装置の一部構成を示す概略図である。
【図４】図３に示す構成において、対向ロールに接続する電源を切り替えた状態を示す図である。
【図５】図３に示す構成において、電源をオフにすると共に、二次転写ロールを転写ベルトから離間させた状態を示す図である。
【図６】金属色トナーに含まれる扁平顔料の平面図及び側面図である。
【図７】金属色モードにおける転写ベルト上の非転写画像と転写画像とを示す図である。
【図８】他色モードにおける転写ベルト上の非転写画像と転写画像とを示す図である。
【図９】転写ベルト上での金属色トナーの姿勢を示す図である。
【図１０】金属色トナーが二次転写ロールに突き刺さった状態を示す図である。
【図１１】金属色モードにおいて、非転写画像を転写ベルトに転写する位置の変形例を示す図である。
【図１２】金属色モードにおいて、非転写画像を転写ベルトに転写する位置の変形例を示す図である。
【図１３】評価結果を示す表である。
【発明を実施するための形態】
【００１７】
以下に、本発明に係る実施形態の一例を図面に基づき説明する。なお、各図に示す矢印Ｈは鉛直方向を示し、矢印Ｗは水平方向であって装置幅方向を示す。
【００１８】
＜画像形成装置１０の構成＞
図１は、画像形成装置１０を正面側から見た構成を示す概略図である。この図に示されるように、画像形成装置１０は、電子写真方式により用紙等の記録媒体Ｐに画像を形成する画像形成部１２と、記録媒体Ｐを搬送する搬送装置５０と、画像形成装置１０の各部の動作を制御する制御部７０と、を有している。
【００１９】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４と、を有している。
【００２０】
（画像形成部１２）
画像形成部１２は、トナー画像を形成するトナー画像形成部２０と、トナー画像形成部２０で形成されたトナー画像を記録媒体Ｐに転写する転写装置３０と、記録媒体Ｐに転写されたトナー画像を加熱及び加圧して記録媒体Ｐに定着する定着装置４０と、を有している。
【００２１】
トナー画像形成部２０は、色ごとにトナー画像を形成するように複数備えられている。この実施形態では、第１特別色（Ｖ）、第２特別色（Ｗ）、イエロー（Ｙ）、マゼンタ（Ｍ）、シアン（Ｃ）、ブラック（Ｋ）の計６色のトナー画像形成部２０が設けられている。図１に示す（Ｖ）、（Ｗ）、（Ｙ）、（Ｍ）、（Ｃ）、（Ｋ）は、上記各色を示している。第１特別色（Ｖ）及び第２特別色（Ｗ）には、例えば、銀色や金色等の色が用いられる。
【００２２】
〔トナー画像形成部２０〕
各色のトナー画像形成部２０は、用いるトナーを除き基本的に同様に構成されている。具体的には、各色のトナー画像形成部２０は、図２に示されるように、図２における時計周り方向に回転する感光体ドラム２１と、感光体ドラム２１を帯電させる帯電器２２と、を有している。さらに、各色のトナー画像形成部２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。
【００２３】
〔転写装置３０〕
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、搬送体の一例としての転写ベルト３１と、一次転写ロール３３と、転写部材の一例としての二次転写ロール３４と、給電部８０と、二次転写ロール３４の接離機構９０（図３参照）と、二次転写ロール３４の清掃装置６０と、転写ベルト３１の清掃装置３５と、を備えている。
【００２４】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された画像を二次転写位置ＮＴへ搬送するようになっている。
【００２５】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００２６】
［一次転写ロール３３］
一次転写ロール３３は、各感光体ドラム２１のトナー画像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３には、給電部（図示省略）によって、トナー極性とは逆極性の一次転写電圧が印加されるようになっている。この一次転写電圧の印加により、感光体ドラム２１に形成されたトナー画像が、一次転写位置Ｔで転写ベルト３１に転写される。
【００２７】
［二次転写ロール３４］
二次転写ロール３４は、転写ベルト３１に重畳されたトナー画像を記録媒体Ｐに転写するロールである。二次転写ロール３４は、図３に示されるように、対向ロール３２Ｂとの間に転写ベルト３１を挟むように配置されており、二次転写ロール３４と転写ベルト３１とは予め定められた荷重にて接触している。このように接触している二次転写ロール３４と転写ベルト３１の間が二次転写位置ＮＴとされる。この二次転写位置ＮＴには、収容器５１から適時に記録媒体Ｐが供給されるようになっている。二次転写ロール３４は、図３における時計周り方向へ回転駆動される。なお、本明細書では、二次転写ロール３４と転写ベルト３１とが離間した場合も含め、二次転写ロール３４と転写ベルト３１との間の位置を二次転写位置ＮＴと称する。
【００２８】
［給電部８０］
給電部８０（印加部）は、図３に示されるように、第１電源８０Ａと、第２電源８０Ｂと、スイッチ８０Ｓ（切替部）と、接触ロール８０Ｃと、を有している。接触ロール８０Ｃは、対向ロール３２Ｂに接触するロールであり、対向ロール３２Ｂに接触した状態で従動回転する。第１電源８０Ａは、接触ロール８０Ｃを介して対向ロール３２Ｂに負極性の電圧を印加する電源である。第２電源８０Ｂは、接触ロール８０Ｃを介して対向ロール３２Ｂに正極性の電圧を印加する電源である。
【００２９】
スイッチ８０Ｓ（切替部）は、接触ロール８０Ｃを介して対向ロール３２Ｂに第１電源８０Ａを接続する状態（図３に示す状態）と、接触ロール８０Ｃを介して対向ロール３２Ｂに第２電源８０Ｂを接続する状態（図４に示す状態）と、接触ロール８０Ｃにいずれの電源も接続しない電源オフの状態（図５に示す状態）と、に切り替え可能となっている。
【００３０】
給電部８０では、転写ベルト３１のトナー画像を記録媒体Ｐに転写する際には、図３に示されるように、スイッチ８０Ｓによって、第１電源８０Ａと対向ロール３２Ｂとが接触ロール８０Ｃを介して接続される。
【００３１】
これにより、対向ロール３２Ｂに負極性の電圧が印加され、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、二次転写位置ＮＴを通過する記録媒体Ｐに、転写ベルト３１からトナー画像が転写される。
【００３２】
一方、転写ベルト３１のトナー画像が二次転写位置ＮＴを通過する際に当該トナー画像を転写ベルト３１に保持させる場合には、図４に示されるように、スイッチ８０Ｓによって、第２電源８０Ｂと対向ロール３２Ｂとが接触ロール８０Ｃを介して接続される。
【００３３】
これにより、対向ロール３２Ｂに正極性の電圧が印加され、対向ロール３２Ｂと二次転写ロール３４との間に電位差が生じる。すなわち、対向ロール３２Ｂに正極性の電圧が印加されることで、対向ロール３２Ｂの対向電極をなす二次転写ロール３４にトナー極性と同極性の非転写電圧（負極性の電圧）が間接的に印加される。これにより、二次転写位置ＮＴを通過するトナー画像は、二次転写ロール３４から反発力を受けて、転写ベルト３１に保持される。
【００３４】
さらに、給電部８０では、接離機構９０によって後述のように二次転写ロール３４が転写ベルト３１から離間した際には、図５に示されるように、スイッチ８０Ｓが電源オフの状態にする。
【００３５】
［接離機構９０］
接離機構９０は、二次転写ロール３４を転写ベルト３１に対して接触及び離間させる機構である。具体的には、接離機構９０は、例えば、二次転写ロール３４を回転可能に支持する支持体を、回転駆動されるカムを用いて上下方向に移動させることで、転写ベルト３１に対して接触及び離間させる。なお、接離機構としては、他の機構要素を用いた構成であってもよい。
【００３６】
［二次転写ロール３４の清掃装置６０］
転写装置３０は、二次転写ロール３４を清掃する清掃装置６０を備えている。清掃装置６０は、回転する二次転写ロール３４に接触して、二次転写ロール３４の表面に付着した異物（トナーや記録媒体Ｐの粉）を二次転写ロール３４から除去する除去部材としてのブレードで構成されている。
【００３７】
［転写ベルト３１の清掃装置３５］
清掃装置３５は、図１に示されるように、転写ベルト３１の周回方向において、二次転写位置ＮＴの下流側で、かつ一次転写位置Ｔ（Ｖ）の上流側に配置されている。清掃装置３５は、転写ベルト３１の表面に残留したトナーを転写ベルト３１の表面から掻き取るブレード３５１を備えている。
【００３８】
＜要部構成＞
ここで、本実施形態では、第１形成部の一例としてのトナー画像形成部２０Ｖが、第２特別色（Ｖ）としての銀色のトナーを用いてトナー画像を形成する構成とされている（図１参照）。また、第１形成部の一例としてのトナー画像形成部２０Ｗは、第２特別色（Ｗ）としての金色のトナーを用いてトナー画像を形成する構成とされている（図１参照）。
【００３９】
トナー画像形成部２０Ｖで用いられる銀色のトナー１００は、図９に示されるように、扁平形状の扁平顔料１１０とバインダー樹脂１１１とを含んで構成されている。トナー画像形成部２０Ｗで用いられる金色のトナーは、扁平顔料１１０とイエロー色の顔料とバインダー樹脂１１１とを含んで構成されている。
【００４０】
扁平顔料１１０は、例えば、アルミニウム等の金属材料で構成されている。そして、扁平顔料１１０を平面に置いて側方から見ると、扁平顔料１１０は、図６（Ｂ）に示されるように、図中左右方向の寸法が図中上下方向の寸法に対して長くなる形状とされている。扁平顔料１１０は、左右方向の寸法と上下方向の寸法との寸法比が、後述の他色トナーの顔料における当該寸法比よりも大きくされている。
【００４１】
また、図６（Ｂ）に示す扁平顔料１１０を図中上方から見ると、扁平顔料１１０は、図６（Ａ）に示されるように、側方から見た形状に対して広がった形状とされ、扁平顔料１１０は、扁平顔料１１０を平面に置いた状態（図６（Ｂ）参照）で、上方及び下方を向く一対の反射面１１０Ａを有している。このように、扁平顔料１１０は、扁平形状とされている。また、扁平顔料１１０を含んだトナーは、トナーの形状としても扁平形状となる。
【００４２】
なお、本明細書では、説明の便宜上、銀色（Ｖ）及び金色（Ｗ）を「金属色」と称し、金属色のトナーを「金属色トナー」と称する。図中において、銀色（Ｖ）及び金色（Ｗ）を区別する場合は、（Ｖ）（Ｗ）の符号を付す。
【００４３】
トナー画像形成部２０Ｖ、２０Ｗが形成するトナー画像としては、記録媒体Ｐに転写される転写画像（第１転写画像の一例）と、記録媒体Ｐに転写されない非転写画像（第１非転写画像の一例）と、がある。
【００４４】
当該非転写画像としては、転写ベルト３１（搬送体の一例）上のトナー画像のトナー濃度を検出するための濃度検出用画像（パッチ）や、転写ベルト３１上のトナー画像における各色間の位置ずれを検出するための色ずれ検出用画像（パッチ）や、劣化した現像剤（トナー）を消費するための画像（バンド）等がある。
【００４５】
以下、説明の便宜上、トナー画像形成部２０Ｖ、２０Ｗが形成する非転写画像を「金属色パッチ」と称し、トナー画像形成部２０Ｖ、２０Ｗが形成する転写画像を「金属色画像」と称する。
【００４６】
なお、本実施形態では、濃度検出用画像（パッチ）や、色ずれ検出用画像（パッチ）を検出するための検出部（センサ）４９が、トナー画像形成部２０Ｋに対する下流側（図１における左側）に配置されている。
【００４７】
一方、第２形成部の一例としてのトナー画像形成部２０Ｙ、２０Ｍ、２０Ｃ、２０Ｋ（以下、２０Ｙ〜２０Ｋと示す）で用いられるイエロー（Ｙ）、マゼンタ（Ｍ）、シアン（Ｃ）、及びブラック（Ｋ）のトナーは、扁平顔料１１０を含まず、扁平顔料１１０以外の顔料とバインダー樹脂とを含んで構成されている。
【００４８】
なお、本明細書では、説明の便宜上、イエロー（Ｙ）、マゼンタ（Ｍ）、シアン（Ｃ）、及びブラック（Ｋ）を「他色」と称し、他色のトナーを「他色トナー」と称する。図中において、イエロー（Ｙ）、マゼンタ（Ｍ）、シアン（Ｃ）、及びブラック（Ｋ）を区別する場合は、（Ｙ）、（Ｍ）、（Ｃ）、（Ｋ）の符号を付す。
【００４９】
トナー画像形成部２０Ｙ〜２０Ｋが形成するトナー画像としては、記録媒体Ｐに転写される転写画像（第２転写画像の一例）と、記録媒体Ｐに転写されない非転写画像（第２非転写画像の一例）と、がある。当該非転写画像としては、トナー画像形成部２０Ｖ、２０Ｗが形成する非転写画像と同様に、濃度検出用画像（パッチ）や、色ずれ検出用画像（パッチ）、劣化した現像剤（トナー）を消費するための画像（バンド）等がある。
【００５０】
以下、説明の便宜上、トナー画像形成部２０Ｙ〜２０Ｋが形成する非転写画像を「他色パッチ」と称し、トナー画像形成部２０Ｙ〜２０Ｋが形成する転写画像を「他色画像」と称する。
【００５１】
なお、図７に示されるように、金属色パッチ４１０及び他色パッチ４２０は、転写ベルト３１上の金属色画像３１０及び他色画像３２０が転写される転写画像領域Ｒ１の間の非転写画像領域Ｒ２（転写領域の一例）に転写される。転写画像領域Ｒ１の金属色画像３１０及び他色画像３２０が、記録媒体Ｐと共に二次転写位置ＮＴを通過して、当該金属色画像３１０及び他色画像３２０が記録媒体Ｐに転写される。一方、非転写画像領域Ｒ２の金属色パッチ４１０及び他色パッチ４２０は、記録媒体Ｐと共に二次転写位置ＮＴを通過せずに、単独で二次転写位置ＮＴを通過するようになっている。なお、転写画像領域Ｒ１及び非転写画像領域Ｒ２は、転写ベルト３１の周回ごとに、転写ベルト３１における位置が変更されてもよいし、変更されない構成であってもよい。
【００５２】
さらに、本実施形態では、金属色トナーによるトナー画像を記録媒体Ｐに形成せずに、他色トナーの少なくとも１つによるトナー画像を記録媒体Ｐに形成する態様（他色モード）と、金属色トナーの少なくとも１つによるトナー画像と他色トナーの少なくとも１つによるトナー画像とを記録媒体Ｐに形成する態様（金属色モード）と、を有している。
【００５３】
他色モード（第２モードの一例）は、制御部７０がトナー画像形成部２０Ｖ、２０Ｗを作動させず且つトナー画像形成部２０Ｙ〜２０Ｋの少なくとも１つを作動させることで、実行させる。トナー画像形成部２０Ｙ〜２０Ｋの少なくとも１つが作動されることで、図８に示されるように、他色画像３２０が転写ベルト３１の各転写画像領域Ｒ１に転写され、他色パッチ４２０が転写ベルト３１の各非転写画像領域Ｒ２に転写される。なお、図８では、トナー画像形成部２０Ｙ〜２０Ｋの全部が作動された場合を図示している。
【００５４】
また、他色モードは、制御部７０が給電部８０を制御し、以下のように、二次転写ロール３４に電圧が印加される。すなわち、転写画像領域Ｒ１（他色画像３２０）が二次転写位置ＮＴを通過する際に、図３に示されるように、第１電源８０Ａと対向ロール３２Ｂとが接触ロール８０Ｃを介して接続され、対向ロール３２Ｂを介して二次転写ロール３４に二次転写電圧（正極性の電圧）が印加される。また、非転写画像領域Ｒ２（他色パッチ４２０）が二次転写位置ＮＴを通過する際に、図４に示されるように、第２電源８０Ｂと対向ロール３２Ｂとが接触ロール８０Ｃを介して接続され、対向ロール３２Ｂを介して二次転写ロール３４に非転写電圧（負極性の電圧）が印加される。
【００５５】
さらに、他色モードは、制御部７０が接離機構９０を制御して、二次転写ロール３４が転写ベルト３１に接触した状態が維持される（図３及び図４参照）。
【００５６】
一方、金属色モード（第１モードの一例）は、制御部７０がトナー画像形成部２０Ｖ、２０Ｗの少なくとも１つとトナー画像形成部２０Ｙ〜２０Ｋの少なくとも１つとを作動させることで、実行される。トナー画像形成部２０Ｖ、２０Ｗの少なくとも１つとトナー画像形成部２０Ｙ〜２０Ｋの少なくとも１つが作動されることで、図７に示されるように、金属色画像３１０及び他色画像３２０が転写ベルト３１の各転写画像領域Ｒ１に転写され、金属色パッチ４１０及び他色パッチ４２０が転写ベルト３１の各非転写画像領域Ｒ２に転写される。さらに、具体的には、非転写画像領域Ｒ２内には、他色パッチ４２０、金属色パッチ４１０の順で、当該パッチが転写ベルト３１の搬送方向上流から配置された状態で転写される。なお、図７では、トナー画像形成部２０Ｙ〜２０Ｋ及びトナー画像形成部２０Ｖ、２０Ｗの全部が作動された場合を図示している。
【００５７】
また、金属色モードでは、制御部７０が給電部８０を制御し、以下のように、二次転写ロール３４に電圧が印加される。すなわち、転写画像領域Ｒ１（金属色画像３１０及び他色画像３２０）が二次転写位置ＮＴを通過する際に、図３に示されるように、第１電源８０Ａと対向ロール３２Ｂとが接触ロール８０Ｃを介して接続され、対向ロール３２Ｂを介して二次転写ロール３４に二次転写電圧（正極性の電圧）が印加される。
また、非転写画像領域Ｒ２内の他色パッチ４２０が二次転写位置ＮＴを通過する際に、図４に示されるように、第２電源８０Ｂと対向ロール３２Ｂとが接触ロール８０Ｃを介して接続され、対向ロール３２Ｂを介して二次転写ロール３４に非転写電圧（負極性の電圧）が印加される。
さらに、非転写画像領域Ｒ２内の金属色パッチ４１０が二次転写位置ＮＴを通過する際には、図５に示されるように、スイッチ８０Ｓが電源オフの状態にし、給電部８０による給電が停止する。
【００５８】
さらに、金属色モードでは、制御部７０が接離機構９０を制御して、以下のように、二次転写ロール３４を転写ベルト３１に対して、接触又は離間させる。すなわち、図３及び図４に示されるように、転写画像領域Ｒ１及び非転写画像領域Ｒ２内の他色パッチ４２０が二次転写位置ＮＴを通過する際に、二次転写ロール３４を転写ベルト３１に接触させる。また、非転写画像領域Ｒ２内の金属色パッチ４１０が二次転写位置ＮＴを通過する際に、図５に示されるように、二次転写ロール３４から転写ベルト３１を離間させる。
【００５９】
（本実施形態に係る作用）
次に、本実施形態に係る作用を説明する。
【００６０】
（他色モード）
他色モードでの画像形成指令（プリント指令）を制御部７０が受けると、制御部７０は、他色のトナー画像形成部２０Ｙ〜２０Ｋ、転写装置３０、定着装置４０を作動させる（図１参照）。
【００６１】
これにより、トナー画像形成部２０Ｙ〜２０Ｋでは、以下の画像形成工程（プロセス）にて、他色画像３２０（図８参照）及び他色パッチ４２０（図８参照）が形成される。すなわち、各色の感光体ドラム２１は、回転されながら帯電器２２によって帯電される。帯電された各感光体ドラム２１が各露光装置２３によって露光されて、各感光体ドラム２１の表面に静電潜像が形成される。各感光体ドラム２１に形成された静電潜像は、現像装置２４から供給される現像剤によって現像される。これにより、各色の感光体ドラム２１には、イエロー（Ｙ）、マゼンタ（Ｍ）、シアン（Ｃ）、ブラック（Ｋ）の他色画像３２０及び他色パッチ４２０が形成される。
【００６２】
各色の感光体ドラム２１に形成された各色の他色画像３２０は、図８に示されるように、各色の一次転写ロール３３によって、周回する転写ベルト３１の転写画像領域Ｒ１に順次転写される。各色の感光体ドラム２１に形成された各色の他色パッチ４２０は、各色の一次転写ロール３３によって、周回する転写ベルト３１の非転写画像領域Ｒ２に順次転写される。これにより、転写ベルト３１に転写された各色の他色画像３２０及び他色パッチ４２０は、転写ベルト３１の周回によって二次転写位置ＮＴに搬送される。
【００６３】
この二次転写位置ＮＴには、搬送ロール５２によって、他色画像３２０の搬送にタイミングを合わせて、記録媒体Ｐが供給される。この二次転写位置ＮＴを記録媒体Ｐ及び転写画像領域Ｒ１（他色画像３２０）が通過する際に、図３に示されるように、接離機構９０によって、二次転写ロール３４が転写ベルト３１に接触した状態が維持される。さらに、このとき、第１電源８０Ａと対向ロール３２Ｂとが接触ロール８０Ｃを介して接続され、対向ロール３２Ｂを介して二次転写ロール３４に二次転写電圧（正極性の電圧）が印加される。これにより、転写ベルト３１から他色画像３２０が記録媒体Ｐに転写される。
【００６４】
他色画像３２０が転写された記録媒体Ｐは、搬送ベルト５８によって、二次転写位置ＮＴから定着装置４０へ搬送され、定着装置４０において、記録媒体Ｐ上の他色画像３２０が記録媒体Ｐに定着される。
【００６５】
また、二次転写位置ＮＴを記録媒体Ｐが通過せずに非転写画像領域Ｒ２（他色パッチ４２０）が通過する際にも、図４に示されるように、接離機構９０によって、二次転写ロール３４が転写ベルト３１に接触した状態が維持される。さらに、このとき、第２電源８０Ｂと対向ロール３２Ｂとが接触ロール８０Ｃを介して接続され、対向ロール３２Ｂを介して二次転写ロール３４に非転写電圧（負極性の電圧）が印加される。これにより、転写ベルト３１上の他色パッチ４２０は、二次転写ロール３４から反発力を受けて、転写ベルト３１に保持される。これにより、他色パッチ４２０の他色トナーは、転写ベルト３１に保持されたまま、二次転写位置ＮＴを通過して清掃装置３５へ搬送され、清掃装置３５によって転写ベルト３１から除去される。
【００６６】
なお、二次転写ロール３４と転写ベルト３１とは、予め定められた荷重にて接触しているため、他色パッチ４２０の他色トナーの一部は、静電的な反発力を受けても二次転写ロール３４に転移される。二次転写ロール３４に転移した他色トナーは、二次転写ロール３４の回転によって、清掃装置６０に搬送され、清掃装置６０によって二次転写ロール３４から除去される。清掃装置６０に搬送された他色トナーの一部は、清掃装置６０と二次転写ロール３４との間に潤滑剤として供給される。
【００６７】
（金属色モード）
金属色モードでの画像形成指令（プリント指令）を制御部７０が受けると、制御部７０は、金属色のトナー画像形成部２０Ｖ、２０Ｗ、他色のトナー画像形成部２０Ｙ〜２０Ｋ、転写装置３０及び定着装置４０を作動させる（図１参照）。
【００６８】
これにより、トナー画像形成部２０Ｖ、２０Ｗでは、前述と同様の画像形成工程（プロセス）を経て、各感光体ドラム２１に金属色画像３１０及び金属色パッチ４１０が形成される。トナー画像形成部２０Ｙ〜２０Ｋでは、前述と同様の画像形成工程（プロセス）を経て、各感光体ドラム２１に他色画像３２０及び他色パッチ４２０が形成される。
【００６９】
各感光体ドラム２１に形成された各色の他色画像３２０及び各色の金属色画像３１０は、図７に示されるように、各色の一次転写ロール３３によって、周回する転写ベルト３１の転写画像領域Ｒ１に順次転写される。
【００７０】
各感光体ドラム２１に形成された各色の金属色パッチ４１０は、各色の一次転写ロール３３によって、周回する転写ベルト３１の非転写画像領域Ｒ２内の搬送方向下流側に順次転写される。各感光体ドラム２１に形成された各色の他色パッチ４２０は、各色の一次転写ロール３３によって、周回する転写ベルト３１の非転写画像領域Ｒ２内の搬送方向上流側に順次転写される。
【００７１】
そして、他色パッチ４２０と金属色パッチ４１０とが搬送方向にずれた状態で、他色パッチ４２０、金属色パッチ４１０、他色画像３２０及び金属色画像３１０が、転写ベルト３１の周回によって二次転写位置ＮＴに搬送される。
【００７２】
この二次転写位置ＮＴには、搬送ロール５２によって、他色画像３２０及び金属色画像３１０の搬送にタイミングを合わせて、記録媒体Ｐが供給される。この二次転写位置ＮＴを記録媒体Ｐ、他色画像３２０及び金属色画像３１０（転写画像領域Ｒ１）が通過する際に、図３に示されるように、接離機構９０によって、二次転写ロール３４が転写ベルト３１に接触した状態が維持される。さらに、このとき、第１電源８０Ａと対向ロール３２Ｂとが接触ロール８０Ｃを介して接続され、対向ロール３２Ｂを介して二次転写ロール３４に二次転写電圧（正極性の電圧）が印加される。これにより、転写ベルト３１から他色画像３２０及び金属色画像３１０が記録媒体Ｐに転写される。
【００７３】
他色画像３２０及び金属色画像３１０が転写された記録媒体Ｐは、搬送ベルト５８によって、二次転写位置ＮＴから定着装置４０へ搬送され、定着装置４０において、記録媒体Ｐ上の他色画像３２０が記録媒体Ｐに定着される。
【００７４】
二次転写位置ＮＴを記録媒体Ｐが通過せずに他色パッチ４２０が通過する際にも、図４に示されるように、接離機構９０によって、二次転写ロール３４が転写ベルト３１に接触した状態が維持される。さらに、このとき、第２電源８０Ｂと対向ロール３２Ｂとが接触ロール８０Ｃを介して接続され、対向ロール３２Ｂを介して二次転写ロール３４に非転写電圧（負極性の電圧）が印加される。これにより、転写ベルト３１上の他色パッチ４２０は、二次転写ロール３４から反発力を受けて、転写ベルト３１に保持される。これにより、他色パッチ４２０の他色トナーは、転写ベルト３１に保持されたまま、二次転写位置ＮＴを通過して清掃装置３５へ搬送され、清掃装置３５によって転写ベルト３１から除去される。
【００７５】
なお、二次転写ロール３４と転写ベルト３１とは、予め定められた荷重にて接触しているため、他色パッチ４２０の他色トナーの一部は、静電的な反発力を受けても二次転写ロール３４に転移される。二次転写ロール３４に転移した他色トナーは、二次転写ロール３４の回転によって、清掃装置６０に搬送され、清掃装置６０によって二次転写ロール３４から除去される。清掃装置６０に搬送された他色トナーの一部は、清掃装置６０と二次転写ロール３４との間に潤滑剤として供給される。
【００７６】
一方、二次転写位置ＮＴを記録媒体Ｐが通過せずに金属色パッチ４１０が通過する際には、図５に示されるように、接離機構９０によって、二次転写ロール３４が転写ベルト３１から離間される。さらに、このとき、スイッチ８０Ｓが電源オフの状態にし、給電部８０による給電が停止する。これにより、転写ベルト３１上の他色パッチ４２０は、転写ベルト３１に保持されたまま、清掃装置３５へ搬送され、清掃装置３５によって転写ベルト３１から除去される。
【００７７】
ここで、転写ベルト３１上の金属色パッチ４１０の金属色トナー１００は、一次転写位置Ｔを通過した後の転写ベルト３１上において、図９に示されるように、扁平形状に起因して電荷が局在し、転写ベルト３１上で起立しやすい。
【００７８】
このため、二次転写ロール３４と転写ベルト３１とが接触した状態で、二次転写位置ＮＴを金属色パッチ４１０が通過する比較例では、図１０に示されるように、金属色トナー１００が二次転写ロール３４に突き刺さりやすく、二次転写ロール３４の表層３４Ａを損傷する場合がある。
【００７９】
これに対して、本実施形態では、二次転写位置ＮＴを金属色パッチ４１０が通過する際に、二次転写ロール３４が転写ベルト３１から離間する。このため、金属色トナーが二次転写ロール３４に突き刺さらず、二次転写ロール３４の表層３４Ａの損傷が抑制される。よって、二次転写ロール３４の損傷による低抵抗化に起因する電界の形成の不良が抑制され、電界の形成の不良に起因する画質不良が抑制される。
【００８０】
また、本実施形態では、図７に示されるように、転写ベルト３１の非転写画像領域Ｒ２内の搬送方向上流側に他色パッチ４２０が配置され、転写ベルト３１の非転写画像領域Ｒ２内の搬送方向下流側に金属色パッチ４１０が配置される。
【００８１】
一方、転写ベルト３１の非転写画像領域Ｒ２内の搬送方向上流側に金属色パッチ４１０が配置され、転写ベルト３１の非転写画像領域Ｒ２内の搬送方向下流側に他色パッチ４２０が配置される場合では、二次転写位置ＮＴを他色パッチ４２０が通過する際に、二次転写ロール３４を転写ベルト３１に対する離間状態から接触状態に切り替えると共に、二次転写ロール３４に印加する電圧を二次転写電圧から非転写電圧に切り替える必要がある。
【００８２】
これに対して、本実施形態では、二次転写位置ＮＴを他色パッチ４２０が通過する際には、転写ベルト３１に対する二次転写ロール３４の接触状態を維持したまま、二次転写ロール３４に印加する電圧を二次転写電圧から非転写電圧に切り替える。すなわち、二次転写ロール３４を転写ベルト３１に対する離間状態から接触状態に切り替える動作を行うことなく、二次転写電圧から非転写電圧への切り替え動作を行えばよい。
【００８３】
すなわち、本実施形態では、二次転写ロール３４を転写ベルト３１に対する離間状態から接触状態に切り替える動作と、二次転写電圧から非転写電圧への切り替え動作を一緒に行う必要がなく、二次転写位置ＮＴを他色パッチ４２０が通過する際に行われる切り替え動作の応答性が向上する。
【００８４】
また、本実施形態では、転写ベルト３１上の他色パッチ４２０の他色トナーの一部が、二次転写ロール３４に転移されて、清掃装置６０と二次転写ロール３４との間に潤滑剤として供給される。このため、ブレードで構成された清掃装置６０のめくれ等の変形が抑制され、清掃装置６０の劣化が抑制される。
【００８５】
（第１変形例）
本実施形態では、図７に示されるように、転写ベルト３１の非転写画像領域Ｒ２内の搬送方向上流側に他色パッチ４２０が転写され、転写ベルト３１の非転写画像領域Ｒ２内の搬送方向下流側に金属色パッチ４１０が転写される構成であったがこれに限られない。例えば、図１１に示されるように、転写ベルト３１の非転写画像領域Ｒ２ごとに、他色パッチ４２０及び金属色パッチ４１０の一方を転写する構成であってもよい。この構成では、他色パッチ４２０及び金属色パッチ４１０は、例えば、転写ベルト３１の非転写画像領域Ｒ２に対して、交互に転写される。この構成でも、他色パッチ４２０及び金属色パッチ４１０が、転写ベルト３１の搬送方向にずれた状態で二次転写位置ＮＴに搬送される。
【００８６】
第１変形例においても、例えば、以下のように、接離機構９０及び給電部８０が動作される。すなわち、二次転写位置ＮＴを他色画像３２０及び金属色画像３１０（転写画像領域Ｒ１）が通過する際に、図３に示されるように、接離機構９０によって、二次転写ロール３４が転写ベルト３１に接触した状態が維持される。さらに、このとき、対向ロール３２Ｂを介して二次転写ロール３４に二次転写電圧（正極性の電圧）が印加される。これにより、転写ベルト３１から他色画像３２０及び金属色画像３１０が記録媒体Ｐに転写される。
【００８７】
また、二次転写位置ＮＴを記録媒体Ｐが通過せずに他色パッチ４２０が通過する際にも、図４に示されるように、接離機構９０によって、二次転写ロール３４が転写ベルト３１に接触した状態が維持される。さらに、このとき、対向ロール３２Ｂを介して二次転写ロール３４に非転写電圧（負極性の電圧）が印加される。
【００８８】
また、二次転写位置ＮＴを記録媒体Ｐが通過せずに金属色パッチ４１０が通過する際には、図５に示されるように、接離機構９０によって、二次転写ロール３４が転写ベルト３１から離間される。さらに、このとき、スイッチ８０Ｓが電源オフの状態にし、給電部８０による給電が停止する。
【００８９】
（第２変形例）
また、本実施形態では、金属色モードにおいて、二次転写位置ＮＴを非転写画像領域Ｒ２内の他色パッチ４２０が通過する際に、二次転写ロール３４を転写ベルト３１に接触させ、二次転写位置ＮＴを非転写画像領域Ｒ２内の金属色パッチ４１０が通過する際に二次転写ロール３４を転写ベルト３１から離間させていたが、これに限られない。
【００９０】
例えば、金属色モードでの画像形成指令（プリント指令）を制御部７０が受けた場合において、非転写画像領域Ｒ２に形成される非転写画像に関わらず、二次転写位置ＮＴを転写ベルト３１の非転写画像領域Ｒ２が通過する際に、図５に示されるように、接離機構９０によって、二次転写ロール３４が転写ベルト３１から離間させてもよい（図１２参照）。さらに、このとき、例えば、スイッチ８０Ｓが電源オフの状態にし、給電部８０による給電が停止する。
【００９１】
この構成では、非転写画像領域Ｒ２内において、金属色パッチ４１０及び他色パッチ４２０を転写する位置に制約がなく、図１２に示されるように、金属色パッチ４１０及び他色パッチ４２０を搬送方向にずらす必要がなくなる。
【００９２】
（第３変形例）
また、本実施形態では、金属色モードにおいて、他色トナーによる他色画像３２０及び他色パッチ４２０を含んで形成されていたが、金属色モードでは、他色トナーによる他色画像３２０及び他色パッチ４２０を含んでいなくてもよい。この場合では、制御部７０は、トナー画像形成部２０Ｙ〜２０Ｋを作動させず、トナー画像形成部２０Ｖ、２０Ｗの少なくとも１つが作動させる。トナー画像形成部２０Ｖ、２０Ｗの少なくとも１つが作動されることで、金属色画像３１０が転写ベルト３１の各転写画像領域Ｒ１に転写され、金属色パッチ４１０が転写ベルト３１の各非転写画像領域Ｒ２に転写される。
【００９３】
この構成においても、例えば、以下のように、接離機構９０及び給電部８０が動作される。すなわち、転写画像領域Ｒ１が二次転写位置ＮＴを通過する際に、対向ロール３２Ｂを介して二次転写ロール３４に二次転写電圧（正極性の電圧）が印加され、非転写画像領域Ｒ２が二次転写位置ＮＴを通過する際には、例えば、給電部８０による給電が停止する。
【００９４】
さらに、この場合では、転写画像領域Ｒ１が二次転写位置ＮＴを通過する際に、二次転写ロール３４を転写ベルト３１に接触させ、非転写画像領域Ｒ２が二次転写位置ＮＴを通過する際に、二次転写ロール３４から転写ベルト３１を離間させる。
【００９５】
（他の変形例）
また、本実施形態では、図７に示されるように、転写ベルト３１の非転写画像領域Ｒ２内の搬送方向上流側に他色パッチ４２０が配置され、転写ベルト３１の非転写画像領域Ｒ２内の搬送方向下流側に金属色パッチ４１０が配置されていたがこれに限られない。例えば、転写ベルト３１の非転写画像領域Ｒ２内の搬送方向上流側に金属色パッチ４１０が配置され、転写ベルト３１の非転写画像領域Ｒ２内の搬送方向下流側に他色パッチ４２０が配置される構成であってもよい。
【００９６】
また、本実施形態では、転写部材の一例として二次転写ロール３４を用いたが、転写部材としては、例えば、二次転写ベルトであってもよい。
【００９７】
また、本実施形態では、搬送体の一例として転写ベルト３１を用いたが、搬送体としては、例えば、転写ドラムであってもよい。
【００９８】
また、本実施形態では、対向ロール３２Ｂを介して、二次転写ロール３４に二次転写電圧、非転写電圧、交流電圧を印加していたが、これに限られず、二次転写ロール３４に直接、各種の電圧を印加してもよい。この場合、対向ロール３２Ｂに印加する電圧とは逆極性の電圧が二次転写ロール３４に印加される。
【００９９】
また、本実施形態では、二次転写ロール３４に潤滑剤（例えば、ＺｎＳｔ）を供給して、二次転写ロール３４上に潤滑剤の被膜を形成する構成を適用してもよい。この構成によれば、転写ベルト３１上で起立した金属色トナーが、二次転写位置ＮＴを通過しても、金属色トナーの先端が二次転写ロール３４上で滑って寝た状態になりやすく、二次転写ロール３４に突き刺さることが抑制される。
【０１００】
また、本実施形態では、二次転写ロール３４の表面粗さをＲｚ＝２μｍ以下に設定してもよい。この構成によれば、転写ベルト３１上で起立した金属色トナーが、二次転写位置ＮＴを通過しても、金属色トナーの先端が二次転写ロール３４上で滑って寝た状態になりやすく、二次転写ロール３４に突き刺さることが抑制される。
【０１０１】
（評価）
本評価では、連続通紙による画質評価を実施した（室温１０℃、相対湿度１５％）。当該画質評価は、目視により、記録媒体Ｐとしての用紙に形成された転写画像において、画質に問題がない場合を「○」とし、白抜けがある場合を「×」とした。
【０１０２】
（実施例１）
前述の画像形成装置１０において、以下の転写ベルト３１、対向ロール３２Ｂ、二次転写ロール３４を用いた。
転写ベルト３１：体積抵抗率10［logΩ・cm］、厚さ80［um］、
対向ロール３２Ｂ：φ20、体積抵抗6.5［logΩ］、硬度65°（アスカーＣ）、
二次転写ロール３４：φ24、体積抵抗7.0［logΩ］、硬度75°（アスカーＣ）
【０１０３】
非転写画像領域Ｒ２（インターイメージ）には、図７に示されるように、搬送方向上流側に他色パッチ４２０としての画質調整用のトナーパッチ20mm×20mmを転写し、搬送方向下流側に金属色パッチ４１０としての画質調整用のトナーパッチ20mm×20mmを転写した。転写画像領域Ｒ１には、特定の他色画像３２０及び金属色画像３１０を転写した。また、画像形成装置１０のプロセス速度を440mm/sに設定した。
【０１０４】
金属色モードにおいて、二次転写位置ＮＴを転写画像領域Ｒ１が通過する際に、転写ベルト３１に対する二次転写ロール３４の接触状態を維持したまま、対向ロール３２Ｂを介して二次転写ロール３４に二次転写電圧（正極性の電圧）を印加した。対向ロール３２Ｂに印加する電圧は、−２ｋＶとされる。
【０１０５】
また、金属色モードにおいて、二次転写位置ＮＴを他色パッチ４２０が通過する際には、転写ベルト３１に対する二次転写ロール３４の接触状態を維持したまま、対向ロール３２Ｂを介して二次転写ロール３４に非転写電圧（負極性の電圧）を印加した。対向ロール３２Ｂに印加する電圧は、＋０．８ｋＶとされる。
【０１０６】
さらに、金属色モードにおいて、二次転写位置ＮＴを金属色パッチ４１０が通過する際には、二次転写ロール３４を転写ベルト３１から離間させ、給電部８０による給電を停止した。
【０１０７】
（実施例２）
上記の実施例１と同じ装置構成とし、金属色モードにおいて、二次転写位置ＮＴを転写画像領域Ｒ１が通過する際に、対向ロール３２Ｂを介して転写ベルト３１に対する二次転写ロール３４の接触状態を維持したまま、対向ロール３２Ｂを介して二次転写ロール３４に二次転写電圧（正極性の電圧）を印加した。対向ロール３２Ｂに印加する電圧は、−２ｋＶとされる。
【０１０８】
また、金属色モードにおいて、二次転写位置ＮＴを非転写画像領域Ｒ２が通過する際には、二次転写ロール３４を転写ベルト３１から離間させ、給電部８０による給電を停止した。
【０１０９】
（比較例１）
上記の実施例１と同じ装置構成とし、金属色モードにおいて、二次転写位置ＮＴを転写画像領域Ｒ１が通過する際に、転写ベルト３１に対する二次転写ロール３４の接触状態を維持したまま、対向ロール３２Ｂを介して二次転写ロール３４に二次転写電圧（正極性の電圧）を印加した。対向ロール３２Ｂに印加する電圧は、−２ｋＶとされる。
【０１１０】
また、金属色モードにおいて、二次転写位置ＮＴを非転写画像領域Ｒ２が通過する際には、転写ベルト３１に対する二次転写ロール３４の接触状態を維持したまま、対向ロール３２Ｂを介して二次転写ロール３４に非転写電圧（負極性の電圧）を印加した。対向ロール３２Ｂに印加する電圧は、＋０．８ｋＶとされる。
【０１１１】
実施例１，２及び比較例１を評価した結果、図１３に示されるように、実施例１、２では、５０００００枚を通紙しても、画質に問題がでなかった。これに対して、比較例では、１０００００枚の通紙時から、白抜けが生じた。なお、当該白抜けは、金属色トナーが二次転写ロール３４に突き刺さって、二次転写ロール３４の表層３４Ａに損傷を与えたことで、二次転写ロール３４の抵抗が低下したことに起因して生じるものと推測される。
【０１１２】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【０１１３】
１０   画像形成装置
２０Ｖ、２０Ｗトナー画像形成部（形成部の一例、第１形成部の一例）
２０Ｙ、２０Ｍ、２０Ｃ、２０Ｋ     トナー画像形成部（第２形成部の一例）
３１   転写ベルト（搬送体の一例）
３４   二次転写ロール（転写部材の一例）
６０   清掃装置（除去部材の一例）
【図１】
2016038440.tif 000003
【図２】
2016038440.tif 000004
【図３】
2016038440.tif 000005
【図４】
2016038440.tif 000006
【図５】
2016038440.tif 000007
【図６】
2016038440.tif 000008
【図７】
2016038440.tif 000009
【図８】
2016038440.tif 000010
【図９】
2016038440.tif 000011
【図１０】
2016038440.tif 000012
【図１１】
2016038440.tif 000013
【図１２】
2016038440.tif 000014
【図１３】
2016038440.tif 000015